(57)【要約】      （修正有）【課題】ヘアドライヤーで適切に髪を乾かしながら容易に整髪することができる改良ヘアブラシ構造を提供する。【解決手段】複数の毛４を含む管状体３に連係するヘアブラシの柄２を備え、管状体３は、ヘアドライヤーによって生じた温風が中を通過できるように穴があけられていることによって、髪を整え乾かす動作を容易にする。【選択図】図１
0003196414.tif 000002
【実用新案登録請求の範囲】
【請求項１】
複数の毛を含む管状体に連係するヘアブラシの柄を備え、
前記管状体は、ヘアドライヤーによって生じた温風が中を通過できるように穴があけられていることによって、髪を整え乾かす動作を容易にする、改良ヘアブラシ構造。
【請求項２】
前記管状体は、プラスチック材料で作られ、ならびに、ヘアブラシシェル全体にわたって配置され、および、前記毛と交互配置された複数の穴を備える、請求項１に記載のヘアブラシ構造。
【請求項３】
前記管状体は、中を空気が通過するのを容易にするように開放された、前記ヘアブラシの柄に連結する前記管状体の端に対向する部分である自由端部を有する、請求項１に記載のヘアブラシ構造。
【請求項４】
前記毛は、前記管状体から放射状に伸張し、実質的に可撓性を有する、請求項１に記載のヘアブラシ構造。
【請求項５】
プラスチック材料で作られた、前記ヘアブラシの柄は、髪を整える動作中の前記ヘアブラシの回転を容易にするように人間工学的に成形される、請求項１に記載のヘアブラシ構造。
【請求項６】
前記ヘアブラシ構造は、いずれの使用者の要求も満たすために、種々の寸法で作られる、請求項１に記載のヘアブラシ構造。
【請求項７】
前記ヘアブラシの様々な寸法は、前記ヘアブラシの柄のサイズを変更することなく、前記管状体の寸法を変更することによって実現される、請求項６に記載のヘアブラシ構造。
【考案の詳細な説明】
【技術分野】
【０００１】
本考案は、改良ヘアブラシ構造に関する。
【背景技術】
【０００２】
通常、プラスチックかゴム材料で作られた、可撓性棒状要素から成る複数の毛を支える中央芯に連結するヘアブラシの柄を含むヘアブラシ構造は、市場では既知である。
【０００３】
上記ヘアブラシ構造は、髪を形作りながら乾かすために、ヘアドライヤーと一緒に使用されることが多い。
【０００４】
ヘアブラシおよびヘアドライヤーの使用は、ヘアブラシを数回広範に回転させることを伴うため、使用者の器用さと手先の能力とを要し、さらには、骨が折れ、困難である。
【考案の概要】
【考案が解決しようとする課題】
【０００５】
従って、本考案の目的は、ヘアドライヤーで適切に髪を乾かしながら容易に整髪することができる改良ヘアブラシ構造を提供することである。
【課題を解決するための手段】
【０００６】
上記目的の範囲内において、本考案の主な対象は、プロの美容師または理髪師によって、および、熟練を要しない使用者によって、容易かつ有利に使用可能である、かかる改良ヘアブラシ構造を提供することである。
【０００７】
本考案の別の対象は、髪を乾かし整える動作を速めるように適合させた、かかる改良ヘアブラシ構造を提供することである。
【０００８】
本考案のさらに別の対象は、容易に市場で入手可能な要素および材料から作ることができ、さらには、単に経済的観点からすると非常に競争力のある、かかるヘアブラシ構造を提供することである。
【０００９】
本考案のさらに別の対象は、特異的に設計された構造的特徴によって、動作時に非常に信頼でき、安全である、かかるヘアブラシ構造を提供することである。
【００１０】
本考案の一態様によると、以降でより明らかとなる上記目的および対象、ならびにさらなる対象は、改良ヘアブラシ構造によって実現され、前記ヘアブラシ構造が、複数の毛を含む管状体に連係するヘアブラシの柄を備えることを特徴とする。
【００１１】
前記管状体は、ヘアドライヤーによって生じた温風が中を通過できるように穴があけられていることによって、髪を整え乾かす動作を容易にする。
【００１２】
本考案のさらなる特性および利点は、以降、添付図面において、非限定的例を示すことによって例示される、本考案の好適ではあるが排他的ではない実施形態の以下の詳細な開示内容から、より明らかとなろう。
【図面の簡単な説明】
【００１３】
【図１】本考案による改良ヘアブラシ構造の透視図である。
【図２】本考案のヘアブラシ            構造の側面図である。
【図３】図２の切断面ＩＩＩ−ＩＩＩによって断面出しされた、本考案のヘアブラシ構造のさらなる側面図である。
【図４】図３のヘアブラシの柄を通る、切断面ＩＶ−ＩＶによって断面出しされた、正面図である。
【図５】図３のヘアブラシの管状体を通る、切断面Ｖ−Ｖによって断面出しされた、さらなる正面図である。
【考案を実施するための形態】
【００１４】
上記図の番号参照に関して、概して参照番号１によって示されている、本考案による改良ヘアブラシ構造は、複数の毛４を含む管状体３に連係する、または、連結するヘアブラシの柄２を備える。
【００１５】
本考案によると、前記管状体３は、ヘアドライヤーによって生じた温風が中を通過できるように穴があけられていることによって、髪を整え乾かす動作を改良する。
【００１６】
前記管状体３は、好ましくは、プラスチック材料で作られ、ならびに、ヘアブラシシェル全体にわたって配置され、および、対応する複数の毛４と交互配置された複数の穴５を備える。
【００１７】
ヘアブラシの柄２の部分に対向する前記ヘアブラシの端である、管状体３の自由端部は、有利には、中を空気が通過するのを容易にするように開放されている。
【００１８】
毛４は、好ましくは、プラスチック材料で作られ、管状体３から放射状に伸張し、設定された可撓性が施されている。
【００１９】
好ましくはプラスチック材料で作られるヘアブラシの柄２は、髪を整える動作中のヘアブラシの回転を容易にするために人間工学的に設計される。
【００２０】
有利には、本考案のヘアブラシ構造を、使用者の要求全てを満たすために、様々な寸法で作ることが可能である。
【００２１】
前記の様々な寸法は、ヘアブラシの柄２のサイズを変更することなく、管状体３の寸法を変更することによって実現される。
【００２２】
本考案が、意図した目的および対象を完全に実現することが見いだされている。
【００２３】
実際、本考案は、髪を容易に整えるのと同時に乾かすことを可能にするために、有利には、ヘアドライヤーと連係して使用可能である改良ヘアブラシ構造を提供している。
【００２４】
特異的に設計されたヘアブラシの柄による、本考案のヘアブラシの人間工学的特徴は、ヘアブラシの動き、特にその回転運動を容易にする一方、動作による疲労を低減する。
【００２５】
本考案を実践する際には、使用される材料、ならびに、それに伴うサイズおよび形状は、要求によっていずれのものも可能である。
【図１】
0003196414.tif 000003
【図２】
0003196414.tif 000004
【図３】
0003196414.tif 000005
【図４】
0003196414.tif 000006
【図５】
0003196414.tif 000007
【手続補正書】
【提出日】平成26年11月13日(2014.11.13)
【手続補正１】
【補正対象書類名】実用新案登録請求の範囲
【補正対象項目名】請求項２
【補正方法】変更
【補正の内容】
【請求項２】
前記管状体はプラスチック材料で作られ、ならびに、前記毛と交互配置された複数の穴を備える、請求項１に記載のヘアブラシ構造。
【手続補正２】
【補正対象書類名】実用新案登録請求の範囲
【補正対象項目名】請求項５
【補正方法】変更
【補正の内容】
【請求項５】
前記ヘアブラシの柄はプラスチック材料で作られた、請求項１に記載のヘアブラシ構造。